(57)【要約】  データユニットの物理層（ＰＨＹ）ヘッダのフィールドを生成する方法において、当該フィールドに含まれる複数のビットが生成され、複数の複製ビットを生成すべく、当該複数のビットが複製される。第１変調データは、複数の複製ビットに基づいて生成される。第１変調データは、第１周波数帯域に対応する第１組の直交周波数分割多重（ＯＦＤＭ）サブキャリアに対応する。第２変調データは、第１変調データを用いて生成される。第２変調データは、第２周波数帯域に対応する第２組のＯＦＤＭサブキャリアに対応する。１）第１周波数帯域及び第２周波数帯域にわたっており、かつ２）ＰＨＹヘッダのフィールドに対応する１つまたは複数の信号は生成される。１つまたは複数の信号を生成する段階は、第１変調データ及び第２変調データに基づいて周波数領域から時間領域への変換を実行する段階を含む。
2016527826.tif 000002
【特許請求の範囲】
【請求項１】
データユニットの物理層（ＰＨＹ）ヘッダのフィールドを生成する方法であって、
前記フィールドに含まれる複数のビットを生成する段階、
複数の複製ビットを生成すべく、前記複数のビットを複製する段階、
前記複数の複製ビットに基づいて、第１周波数帯域に対応する第１組の直交周波数分割多重（ＯＦＤＭ）サブキャリアに対応する第１変調データを生成する段階、
前記第１変調データを用いて、第２周波数帯域に対応する第２組のＯＦＤＭサブキャリアに対応する第２変調データを生成する段階、及び、
前記第１変調データ及び前記第２変調データに基づいて周波数領域から時間領域への変換を実行する段階を含み、１）前記第１周波数帯域及び前記第２周波数帯域にわたっており、かつ２）前記ＰＨＹヘッダのフィールドに対応する１つまたは複数の信号を生成する段階
を備える
方法。
【請求項２】
前記第１周波数帯域及び前記第２周波数帯域は隣接しており、
前記１つまたは複数の信号を生成する段階は、前記第１周波数帯域及び前記第２周波数帯域にわたるシングル信号を生成する段階を含む、
請求項１に記載の方法。
【請求項３】
前記１つまたは複数の信号を生成する段階は、前記シングル信号を含む複数の信号を生成する段階を含み、
前記複数の信号の各信号は、
１）前記第１周波数帯域及び前記第２周波数帯域にわたっており、かつ
２）それぞれの送信アンテナに対応する、
請求項２に記載の方法。
【請求項４】
前記１つまたは複数の信号を生成する段階は、前記第１周波数帯域にわたる第１信号を生成する段階、及び前記第２周波数帯域にわたる第２信号を生成する段階を含む、
請求項１から３のいずれか一項に記載の方法。
【請求項５】
前記１つまたは複数の信号を生成する段階は、
前記第１信号を含む、第１の複数の信号を生成する段階であって、前記第１の複数の信号の各信号は前記第１周波数帯域にわたっており、それぞれの送信アンテナに対応する、段階、及び
前記第２信号を含む、第２の複数の信号を生成する段階であって、前記第２の複数の信号の各信号は前記第２周波数帯域にわたっており、それぞれの送信アンテナに対応する、段階を含む、
請求項４に記載の方法。
【請求項６】
物理層（ＰＨＹ）プロセッシングユニットを有するネットワークインタフェースを備える装置であって、
前記ＰＨＹプロセッシングユニットは、
ＰＨＹヘッダのフィールドに含まれる複数のビットを生成し、
複数の複製ビットを生成すべく、前記複数のビットを複製し、
前記複数の複製ビットに基づいて、第１周波数帯域に対応する第１組の直交周波数分割多重（ＯＦＤＭ）サブキャリアに対応する第１変調データを生成し、
前記第１変調データを用いて、第２周波数帯域に対応する第２組のＯＦＤＭサブキャリアに対応する第２変調データを生成し、
前記ネットワークインタフェースは、１）前記第１周波数帯域及び前記第２周波数帯域にわたっており、かつ２）前記ＰＨＹヘッダのフィールドに対応する１つまたは複数の信号を生成し、
前記１つまたは複数の信号を生成することは、前記第１変調データ及び前記第２変調データに基づいて周波数領域から時間領域への変換を実行することを含む、
装置。
【請求項７】
前記第１周波数帯域及び前記第２周波数帯域は隣接しており、
前記ネットワークインタフェースは、少なくとも、前記第１周波数帯域及び前記第２周波数帯域にわたるシングル信号を生成することによって、前記１つまたは複数の信号を生成する、
請求項６に記載の装置。
【請求項８】
前記ネットワークインタフェースは、少なくとも、前記シングル信号を含む複数の信号を生成することによって、前記１つまたは複数の信号を生成し、
前記複数の信号の各信号は、
１）前記第１周波数帯域及び前記第２周波数帯域にわたっており、かつ
２）それぞれの送信アンテナに対応する、
請求項７に記載の装置。
【請求項９】
前記ネットワークインタフェースは、少なくとも、前記第１周波数帯域にわたる第１信号を生成して、前記第２周波数帯域にわたる第２信号を生成することによって、前記１つまたは複数の信号を生成する、
請求項６から８のいずれか一項に記載の装置。
【請求項１０】
前記ネットワークインタフェースは、少なくとも、前記第１信号を含む第１の複数の信号を生成すること、及び前記第２信号を含む第２の複数の信号を生成することによって、前記１つまたは複数の信号を生成し、
前記第１の複数の信号の各信号は、前記第１周波数帯域にわたっており、それぞれの送信アンテナに対応し、
前記第２の複数の信号の各信号は、前記第２周波数帯域にわたっており、それぞれの送信アンテナに対応する、
請求項９に記載の装置。
【請求項１１】
データユニットの物理層（ＰＨＹ）ヘッダのフィールドを生成する方法であって、
前記フィールドに含まれる複数のビットを生成する段階、
複数の複製ビットを生成すべく、前記複数のビットを複製する段階、
前記複数の複製ビットを複数のセグメントへとパーシングする段階であって、各セグメントについて、複数の他のセグメントから複数の複製ビットをインターリーブせずに、前記セグメント内に複数の複製ビットをインターリーブする段階、
複数の複製ビットをインターリーブした後、
前記複数の複製ビットに基づいて、複数の直交周波数分割多重（ＯＦＤＭ）サブキャリアに対応する変調データを生成する段階、及び
前記ＰＨＹヘッダの前記フィールドに対応する１つまたは複数の信号を生成する段階であって、前記変調データに基づいて周波数領域から時間領域への変換を実行する段階を含む段階
を備える
方法。
【請求項１２】
複数の複製ビットをインターリーブした後、前記複数のセグメントから前記複数の複製ビットをデパーシングする段階
をさらに備える
請求項１１に記載の方法。
【請求項１３】
前記１つまたは複数の信号を生成する段階は、複数の信号を生成する段階を含み、
前記複数の信号の各信号はそれぞれの送信アンテナに対応する、
請求項１２に記載の方法。
【請求項１４】
前記複数のセグメントの第１セグメントは、第１周波数帯域に対応し、
前記複数のセグメントの第２セグメントは、第２周波数帯域に対応し、
前記１つまたは複数の信号を生成する段階は、前記第１周波数帯域にわたる第１信号を生成する段階、及び前記第２周波数帯域にわたる第２信号を生成する段階を含む、
請求項１１から１３のいずれか一項に記載の方法。
【請求項１５】
前記１つまたは複数の信号を生成する段階は、前記第１信号を含む第１の複数の信号を生成する段階、及び前記第２信号を含む第２の複数の信号を生成する段階を含み、
前記第１の複数の信号の各信号は前記第１周波数帯域にわたっておりそれぞれの送信アンテナに対応し、
前記第２の複数の信号の各信号は前記第２周波数帯域にわたっておりそれぞれの送信アンテナに対応する、
請求項１４に記載の方法。
【請求項１６】
物理層（ＰＨＹ）プロセッシングユニットを有するネットワークインタフェースを備える装置であって、
前記ＰＨＹプロセッシングユニットは、
ＰＨＹヘッダのフィールドに含まれる複数のビットを生成し、
複数の複製ビットを生成すべく、前記複数のビットを複製し、
前記複数の複製ビットを複数のセグメントにパーシングし、
各セグメントについて、複数の他のセグメントから複数の複製ビットをインターリーブせずに、前記セグメントの複数の複製ビットをインターリーブし、
複数の複製ビットをインターリーブした後、前記複数の複製ビットに基づいて、複数の直交周波数分割多重（ＯＦＤＭ）サブキャリアに対応する変調データを生成し、
前記ネットワークインタフェースは、前記ＰＨＹヘッダの前記フィールドに対応する１つまたは複数の信号を生成し、
前記１つまたは複数の信号を生成することは、前記変調データに基づいて周波数領域から時間領域への変換を実行することを含む、
装置。
【請求項１７】
前記ＰＨＹプロセッシングユニットは、複数の複製ビットをインターリーブした後、前記複数のセグメントから前記複数の複製ビットをデパーシングする、
請求項１６に記載の装置。
【請求項１８】
前記ネットワークインタフェースは、少なくとも、複数の信号を生成することによって、前記１つまたは複数の信号を生成し、
前記複数の信号の各信号は、それぞれの送信アンテナに対応する、
請求項１７に記載の装置。
【請求項１９】
前記複数のセグメントの第１セグメントは第１周波数帯域に対応し、
前記複数のセグメントの第２セグメントは、第２周波数帯域に対応し、
前記ネットワークインタフェースは、少なくとも、前記第１周波数帯域にわたる第１信号を生成すること、及び前記第２周波数帯域にわたる第２信号を生成することによって、前記１つまたは複数の信号を生成する、
請求項１６から１８のいずれか一項に記載の装置。
【請求項２０】
前記ネットワークインタフェースは、少なくとも、前記第１信号を含む第１の複数の信号を生成すること、及び前記第２信号を含む第２の複数の信号を生成することによって、前記１つまたは複数の信号を生成し、
前記第１の複数の信号の各信号は、前記第１周波数帯域にわたっておりそれぞれの送信アンテナに対応し、
前記第２の複数の信号の各信号は、前記第２周波数帯域にわたっておりそれぞれの送信アンテナに対応する、
請求項１９に記載の装置。
【発明の詳細な説明】
【技術分野】
【０００１】
［関連出願の相互参照］  本開示は、２０１３年７月２９日に出願された「１６０ＭＨｚ及び８０＋８０ＭＨｚのＶＨＴ−ＳＩＧＢ」と題する米国特許仮出願番号第６１／８５９，４８３号の利益を主張し、この仮出願の全体を参照として本明細書に組み込まれる。
【０００２】
本開示は概して、複数の通信ネットワークに関し、より具体的には、複数の無線ローカルエリアネットワーク（ＷＬＡＮ）に用いられる複数の物理層（ＰＨＹ）通信プロトコルに関する。
【背景技術】
【０００３】
電気電子学会（ＩＥＥＥ）８０２．１１ａ，８０２．１１ｂ，８０２．１１ｇ，及び８０２．１１ｎ標準規格などの複数のＷＬＡＮ標準規格の開発は、シングルユーザのピークデータスループットを改善してきた。例えば、ＩＥＥＥ８０２．１１ｂ標準規格は１１メガビット毎秒（Ｍｂｐｓ）のシングルユーザピークスループットを規定しており、ＩＥＥＥ８０２．１１ａ，８０２．１１ｇ標準規格は５４Ｍｂｐｓのシングルユーザピークスループットを規定し、ＩＥＥＥ８０２．１１ｎ標準規格は、６００Ｍｂｐｓのシングルユーザピークスループットを規定し、そして、ＩＥＥＥ８０２．１１ａｃ標準規格は、１秒当たりギガビット（Ｇｂｐｓ）範囲内にシングルユーザピークスループットを規定している。ＩＥＥＥ８０２．１１ａｃ標準規格は、１６０ＭＨｚの帯域幅を有する複数のチャネルの使用を許容する。
【発明の概要】
【発明が解決しようとする課題】
【０００４】
実施形態において、データユニットの物理層（ＰＨＹ）ヘッダのフィールドを生成する方法は、フィールドに含まれる複数のビットを生成する段階、及び複数の複製ビットを生成すべく、複数のビットを複製する段階を含む。当該方法はまた、複数の複製ビットに基づいて、第１周波数帯域に対応する第１組の直交周波数分割多重（ＯＦＤＭ）サブキャリアに対応する第１変調データを生成する段階、及び、第１変調データを用いて、第２周波数帯域に対応する第２組のＯＦＤＭサブキャリアに対応する第２変調データを生成する段階を含む。方法はさらに、１）第１周波数帯域及び第２周波数帯域にわたっており、かつ２）ＰＨＹヘッダのフィールドに対応する１つまたは複数の信号を生成する段階を含み、当該１つまたは複数の信号を生成する段階は、第１変調データ及び第２変調データに基づいて周波数領域から時間領域への変換を実行する段階を含む。
【０００５】
別の実施形態において、装置は、ＰＨＹヘッダのフィールドに含まれる複数のビットを生成して複数の複製ビットを生成すべく、複数のビットを複製する物理層（ＰＨＹ）プロセッシングユニットを有するネットワークインタフェースを備える。ＰＨＹプロセッシングユニットはさらに、複数の複製ビットに基づいて第１周波数帯域に対応する第１組の直交周波数分割多重（ＯＦＤＭ）サブキャリアに対応する第１変調データを生成して、当該第１変調データを用いて、第２周波数帯域に対応する第２組のＯＦＤＭサブキャリアに対応する第２変調データを生成する。ネットワークインタフェースは、第１変調データ及び第２変調データに基づいて周波数領域から時間領域への変換を実行することを含み、１）第１周波数帯域及び第２周波数帯域にわたっており、かつ２）ＰＨＹヘッダのフィールドに対応する１つまたは複数の信号を生成する。
【０００６】
また別の実施形態において、データユニットの物理層（ＰＨＹ）ヘッダのフィールドを生成する方法は、フィールドに含まれる複数のビットを生成する段階と、複数の複製ビットを生成すべく、複数のビットを複製する段階と、複数の複製ビットを複数のセグメント内にパーシングする段階とを含む。方法はまた、各セグメントについて、複数の他のセグメントから複数の複製ビットをインターリーブせずに、当該セグメント内に複数の複製ビットをインターリーブする段階を含む。方法はさらに、複数の複製ビットをインターリーブした後、当該複数の複製ビットに基づいて、複数の直交周波数分割多重（ＯＦＤＭ）サブキャリアに対応する変調データを生成する段階と、変調データに基づいて周波数領域から時間領域への変換を実行する段階を含む、ＰＨＹヘッダのフィールドに対応する１つまたは複数の信号を生成する段階とを含む。
【０００７】
また別の実施形態において、装置は、ＰＨＹヘッダのフィールドに含まれる複数のビットを生成し、複数の複製ビットを生成すべく、複数のビットを複製し、そして複数の複製ビットを複数のセグメント内にパーシングする物理層（ＰＨＹ）プロセッシングユニットを有する、ネットワークインタフェースを備える。ＰＨＹプロセッシングユニットはさらに、各セグメントについて、複数の他のセグメントから複数の複製ビットをインターリーブせずに、当該セグメント内に複数の複製ビットをインターリーブする。ＰＨＹプロセッシングユニットはまたさらに、複数の複製ビットをインターリーブした後、複数の複製ビットに基づいて、複数の直交周波数分割多重（ＯＦＤＭ）サブキャリアに対応する変調データを生成する。ネットワークインタフェースは、ＰＨＹヘッダのフィールドに対応する１つまたは複数の信号を生成し、当該１つまたは複数の信号を生成することは、変調データに基づいて周波数領域から時間領域への変換を実行することを含む。
【図面の簡単な説明】
【０００８】
【図１】実施形態に係る、例示的な無線ローカルエリアネットワーク（ＷＬＡＮ）のブロック図である。
【０００９】
【図２】実施形態に係る、例示的な物理層（ＰＨＹ）データユニットフォーマットの図である。
【００１０】
【図３】実施形態に係る、ＰＨＹヘッダのフィールドを生成する例示的なＰＨＹプロセッシングユニットの送信部のブロック図である。
【００１１】
【図４】実施形態に係る、図３のＰＨＹプロセッシングユニットに利用されるビット反復／複製技術を例示する図である。
【００１２】
【図５】別の実施形態に係る、ＰＨＹヘッダのフィールドを生成する別の例示的なＰＨＹプロセッシングユニットの送信部のブロック図である。
【００１３】
【図６】実施形態に係る、ＰＨＹヘッダのフィールドを生成する例示的な方法のフロー図である。
【００１４】
【図７】また別の実施形態に係る、ＰＨＹヘッダのフィールドを生成するまた別の例示的なＰＨＹプロセッシングユニットの送信部のブロック図である。
【００１５】
【図８】実施形態に係る、図７のＰＨＹプロセッシングユニットに利用されるビット反復／複製技術を示す図である。
【００１６】
【図９】別の実施形態に係る、ＰＨＹヘッダのフィールドを生成する別の例示的なＰＨＹプロセッシングユニットの送信部のブロック図である。
【００１７】
【図１０】実施形態に係る、ＰＨＹヘッダのフィールドを生成する別の例示的な方法のフロー図である。
【００１８】
様々な図面において複数の同様の参照符号は複数の同様のエレメントを示す。
【発明を実施するための形態】
【００１９】
以下に説明される複数の実施形態において、無線ローカルエリアネットワーク（ＷＬＡＮ）のアクセスポイント（ＡＰ）のような無線ネットワークデバイス及び１つまたは複数のクライアント局は、物理層（ＰＨＹ）ヘッダを含む複数のパケットを送信及び受信することによって、互いに通信を行う。ＰＨＹヘッダのフィールドを生成する複数の技術の複数の実施形態は、少なくともいくつかの通信モードにおいて、以下に説明される。例えば、ＩＥＥＥ８０２．１１ａｃ標準規格に関連するいくつかの実施形態において、ＰＨＹヘッダのフィールドは、１６０ＭＨｚの幅を有する無線ローカルエリアネットワーク（ＷＬＡＮ）通信チャネルの直交周波数分割多重（ＯＦＤＭ）を用いて複数のデータユニットが変調される通信モード用に生成される。しかし、複数の他の実施形態において、同一または同様の技術は、複数の他の通信プロトコル及び／または複数の他の適したチャネル帯域幅と共に利用される。
【００２０】
図１は、実施形態に係る、アクセスポイント（ＡＰ）１４を含む例示的なＷＬＡＮ１０のブロック図である。ＡＰ１４は、ネットワークインタフェース１６に連結されるホストプロセッサ１５を含む。ネットワークインタフェース１６は、媒体アクセス制御（ＭＡＣ）プロセッシングユニット１８及びＰＨＹプロセッシングユニット２０を含む。ＰＨＹプロセッシングユニット２０は、複数の送受信機２１を含み、当該複数の送受信機２１は、複数のアンテナ２４に連結される。３つの送受信機２１及び３つのアンテナ２４が図１に示されているが、ＡＰ１４は、複数の他の実施形態において、異なる数（例えば、１，２，４，５など）の送受信機及びアンテナを含んでよい。さらに、ＡＰ１４は、同数の送受信機２１及びアンテナ２４を有するように示されているが、複数の他の実施形態において、ＡＰ１４は、アンテナの数と異なる数の送受信機を含み得る。例えば、いくつかの実施形態において、ＡＰ１４は、複数の送受信機より多くのアンテナを含んでよく、複数のアンテナスイッチング技術を用いてよい。
【００２１】
ＷＬＡＮ１０はさらに、複数のクライアント局２５を含む。４つのクライアント局２５が図１に示されているが、ＷＬＡＮ１０は、様々なシナリオ及び実施形態において、異なる数（例えば、１，２，３，５，６など）のクライアント局を含んでよい。クライアント局２５―１は、ネットワークインタフェース２７に連結されるホストプロセッサ２６を含む。ネットワークインタフェース２７は、ＭＡＣプロセッシングユニット２８及びＰＨＹプロセッシングユニット２９を含む。ＰＨＹプロセッシングユニット２９は、複数の送受信機３０を含み、当該複数の送受信機３０は、複数のアンテナ３４に連結される。３つの送受信機３０及び３つのアンテナ３４が図１に示されているが、クライアント局２５―１は、他の実施形態において、異なる数（例えば、１，２，４，５など）の複数の送受信機及び複数のアンテナを含んでよい。さらに、クライアント局２５―１は、同数の送受信機３０及びアンテナ３４を有するように示されているが、複数の他の実施形態において、クライアント局２５―１は、アンテナの数と異なる数の送受信機を含んでよい。例えば、いくつかの実施形態において、クライアント局２５―１は、送受信機より多くのアンテナを含んでよく、複数のアンテナスイッチング技術を用いてよい。
【００２２】
いくつかの実施形態において、クライアント局２５―２、２５―３及び２５―４のうちの１つ、いくつか、またはすべては、クライアント局２５―１と同一または同様の構造を有する。これらの複数の実施形態において、クライアント局２５―１と同一または同様に構造された複数のクライアント局２５は、同一または異なる数の送受信機及びアンテナを有する。例えば、実施形態によれば、クライアント局２５―２は２つの送受信機及び２つのアンテナのみを有する。別の例として、クライアント局２５―２は、別の実施形態によれば、２つの送受信機及び４つのアンテナを有して複数のアンテナスイッチング技術を利用する。
【００２３】
様々な実施形態において、ＡＰ１４のＰＨＹプロセッシングユニット２０は、以下により詳細に説明されるように、複数のＰＨＹヘッダを有する複数のデータユニットを生成する。送受信機２１は、アンテナ２４を介して複数の生成されたデータユニットを送信する。同様に、送受信機２１は、アンテナ２４を介して複数のデータユニットを受信する。様々な実施形態によれば、ＡＰ１４のＰＨＹプロセッシングユニット２０はまた、複数のＰＨＹヘッダを有する複数の受信されたデータユニットを処理する。
【００２４】
様々な実施形態において、クライアントデバイス２５―１のＰＨＹプロセッシングユニット２９は、以下により詳細に説明されるように、複数のＰＨＹヘッダを有する複数のデータユニットを生成する。送受信機３０は、アンテナ３４を介して複数の生成されたデータユニットを送信する。同様に、送受信機３０は、アンテナ３４を介して複数のデータユニットを受信する。様々な実施形態によれば、クライアントデバイス２５―１のＰＨＹプロセッシングユニット２９はまた、複数のＰＨＹヘッダを有する複数の受信されたデータユニットを処理する。
【００２５】
図２は、実施形態に係る、図１のＡＰ１４が複数のクライアント局２５に送信する例示的なデータユニット５０の図である。実施形態において、少なくともいくつかのクライアント局２５の各々はまた、図２のフォーマットの複数のデータユニットをＡＰ１４に送信する。データユニット５０は、レガシショートトレーニングフィールド（Ｌ−ＳＴＦ）５２、レガシロングトレーニングフィールド（Ｌ−ＬＴＦ）５４、レガシシグナルフィールド（Ｌ−ＳＩＧ）５６、第１ベリーハイスループットシグナルフィールド（ＶＨＴ−ＳＩＧＡ）５８、ベリーハイスループットショートトレーニングフィールド（ＶＨＴ−ＳＴＦ）６２、Ｎ個のベリーハイスループットロングトレーニングフィールド（ＶＨＴ−ＬＴＦｓ）６４（Ｎは整数である）と、第２ベリーハイスループットシグナルフィールド（ＶＨＴ−ＳＩＧＢ）６８を有するプリアンブルを含む。データユニット５０はまた、ベリーハイスループットデータ部（ＶＨＴ−ＤＡＴＡ）７２を含む。データ部７２は、複数のサービスビット及び複数の情報ビット（図示せず）を含む。ＶＨＴ−ＳＩＧＢ６８を生成する複数の技術の複数の実施形態は、以下に説明される。しかし、複数の他の実施形態において、複数の同様の技術は、複数の他の適したＰＨＹヘッダの複数の他の適したフィールドを生成するように利用される。
【００２６】
いくつかの実施形態において、ＡＰ１４及び／または１つまたは複数のクライアントデバイス２５は、複数の異なる通信モードにおける複数の異なる帯域幅の複数の通信チャネルを利用する。例えば、ＩＥＥＥ８０２．１１ａｃ標準規格は、複数の異なるモードにおける２０ＭＨｚ，４０ＭＨｚ，８０ＭＨｚ，及び１６０ＭＨｚの幅の複数の通信チャネルの使用を許容する。図３は、実施形態に係る、１６０ＭＨｚの連続帯域幅を有する通信チャネルに対応する送信モードにおいてＶＨＴ−ＳＩＧＢ６８（図２）を生成する例示的なＰＨＹプロセッシングユニット１００の送信部のブロック図である。しかし、複数の他の実施形態において、複数の同様の技術及び／または複数のＰＨＹプロセッシングユニットは、複数の他の適したＰＨＹヘッダの複数の他の適したフィールドを生成するように、及び／または複数の他の適したチャネル帯域幅に対応する複数の他の適した送信モード用に、利用される。図１を参照すると、一実施形態において、ＡＰ１４のＰＨＹプロセッシングユニット２０及びクライアント局２５―１のＰＨＹプロセッシングユニット２９は各々、ＰＨＹプロセッシングユニット１００のプロセッシングを含む、及び／またはそれを実行する。
【００２７】
ＰＨＹプロセッシングユニット１００は、ＶＨＴ−ＳＩＧＢフィールド（例えば、複数のシグナルフィールドビット）に含まれる複数の制御情報ビット（例えば、複数のＰＨＹ関連ビット）を生成する。いくつかの実施形態において、ＰＨＹプロセッシングユニット１００は、複数のシグナルフィールドビットに複数のテールビットを追加する。いくつかの実施形態において、複数の生成されたシグナルフィールドビットは、より狭いチャネル帯域幅を有する通信モードに対応し、当該複数の生成されたシグナルフィールドビットは、より広い帯域幅を有する複数の通信モード用に繰り返されまたは複製される。それにより、いくつかの実施形態において、ＰＨＹプロセッシングユニット１００は、ビット反復またはビット複製モジュール１０２を含む。図４は、実施形態において、ビット反復モジュール１０２によって実施される例示的技術を示す図である。複数の他の実施形態において、複数の他のビット反復／複製技術が利用される。複数の他の実施形態において、反復／複製は実行されず、ビット反復モジュール１０２は省略され得る。
【００２８】
ＰＨＹプロセッシングユニット１００は、シグナルフィールドビット及びテールビットの組１７０を生成する。実施形態において、シグナルフィールドビット及びテールビットの組１７０は、２０ＭＨｚの帯域幅を有するチャネルに対応する。それにより、いくつかの実施形態において、シグナルフィールドビット及びテールビットの組１７０は、例えば、４０ＭＨｚ、８０ＭＨｚ、１６０ＭＨｚなどの帯域幅を用いる場合には繰り返され／反復され／複製される。ビット反復モジュール１０２は、組１７０の４つの反復を有する複製ビットの組１８０が生成されるように、組１７０を３回繰り返し／反復／複製して１つまたは複数のパディングビット１７４（例えば、１つのパディングビットまたは別の適した数のパディングビット）を追加する。実施形態において、組１８０は、８０ＭＨｚの帯域幅を有するチャネルに対応する。実施形態において、組１７０は、２３個の情報ビット及び６つのテールビットを含み、１つのみのパディングビット１７４が追加される。それにより、実施形態において、組１８０は１１７個のビットを含む。しかし、複数の他の実施形態において、組１７０は、複数の他の適した数の情報ビット及びテールビットを含み、及び／または異なる数のパディングビット１７４が追加される。
【００２９】
図３を参照すれば、ビット反復モジュール１０２の出力は、バイナリ畳み込み符号（ＢＣＣ）エンコーダ１０４に連結される。ＢＣＣエンコーダ１０４は、複数の複製ビット上でＢＣＣ符号化を実行する。実施形態において、ＢＣＣエンコーダ１０４は、符号化レート１／２を利用する。例えば、上の例示に続いて、組１８０が１１７個のビットを含み、ＢＣＣエンコーダ１０４がレート１／２を用いている場合、ＢＣＣエンコーダ１０４の出力は２３４個のビットを含む。複数の他の実施形態において、複数の他の適した符号化レートが利用される。
【００３０】
ＢＣＣエンコーダ１０４の出力は、ＢＣＣインターリーバ１０６に連結される。インターリーバ１０６は、複数の隣接するノイズビットの複数のロングシーケンスが受信機でデコーダに入ることを防ぐべく、複数のビットをインターリーブする（すなわち、複数のビットの順番を変更する）。より具体的には、インターリーバ１０６は、（ＢＣＣエンコーダ１０４に符号化される）複数の隣接するビットを、周波数領域または時間領域において複数の隣接しない位置にマッピングする。いくつかの実施形態において、ＢＣＣエンコーダ１０４及びＢＣＣインターリーバ１０６は省略される。
【００３１】
ＢＣＣインターリーバ１０６の出力（または、ＢＣＣエンコーダ１０４とＢＣＣインターリーバ１０６が省略された場合は複製モジュール１０２の出力）は、コンステレーションマッパ１１２に連結される。実施形態において、コンステレーションマッパ１１２は、複数のビットを、ＯＦＤＭシンボルの複数の異なるサブキャリア／トーンに対応する複数のコンステレーションポイントにマッピングする。実施形態において、コンステレーションマッパ１１２は、複数の変調されたビットの複数の周波数領域表現に対応する変調データを生成する。例えば、実施形態において、コンステレーションマッパ１１２は、複数のビットを、複数のバイナリ位相シフトキーイング（ＢＰＳＫ）コンステレーションポイントにマッピングする。複数の他の実施形態において、コンステレーションマッパ１１２は、複数のビットを、位相シフトキーイング（ＰＳＫ）や、例えば、４ＱＡＭ，１６ＱＡＭ，６４ＱＡＭ，１２８ＱＡＭ，２５６ＱＡＭなどの直交振幅変調（ＱＡＭ）のような、複数の他の適した変調スキームに対応する複数のコンステレーションポイントにマッピングする。
【００３２】
コンステレーションマッパ１１２の出力は、乗算モジュール１１４に提供される。実施形態において、シングルユーザ送信について、乗算モジュール１１４は、１つまたは複数の空間ストリームもしくは時空間ストリーム（簡潔さのため、以下より「複数の空間ストリーム」として称される）を生成すべく、変調データをマッピングマトリックスＰＶＨＴＬＴＦの第１列と乗算する。実施形態において、マッピングマトリックスＰＶＨＴＬＴＦは、生成される空間ストリームの数に応じて変化し得る。例えば、実施形態において、以下のようである。
【数１】
2016527826.tif 000003
ここで、ＮＳＴＳは、生成される空間ストリームの数である。
【数２】
2016527826.tif 000004
【数３】
2016527826.tif 000005
ここで、ｗ＝ｅｘｐ（−ｊ２π／６）である。
【数４】
2016527826.tif 000006
複数の他の実施形態において、複数の他の適したマッピングマトリックスは利用される。４つの空間ストリームが図３に示されているが、複数の他の実施形態及び／または複数のシナリオにおいて、複数の他の適した数（例えば、１，２，３，５，６など）の空間ストリームが利用される。
【００３３】
複数の巡回シフトダイバーシチ（ＣＳＤ）ユニット１１６は、乗算モジュール１１４に連結される。複数のＣＳＤユニット１１６は、意図されないビームフォーミングを防ぐべく、（１つより多くの空間ストリームの場合は）１つを除いてすべての空間ストリーム内に複数の巡回シフトを挿入する。
【００３４】
空間マッピングユニット１２０は、ＮＳＴＳ個の空間ストリームを、用いられる送信アンテナの数であるＮＴＸ個の送信チェーンにマッピングする。様々な実施形態において、空間マッピングは、１）各空間ストリームから複数のコンステレーションポイントが直接複数の送信チェーン上にマッピングされるという直接マッピング（すなわち、１対１マッピング）、かつ２）複数の送信チェーンに対して複数の入力を生成すべく、すべての空間ストリームから複数のコンステレーションポイントの複数のベクトルがマトリックス乗算を介して拡張されるという空間拡張、及び、３）複数の送信チェーンに対して複数の入力を生成すべく、空間ストリームのすべてからの複数のコンステレーションポイントの各ベクトルがステアリングベクトルのマトリックスによって乗算されるというビームフォーミング、のうち１つまたは複数を含む。
【００３５】
空間マッピングユニット１２０の各変調データ出力は、それぞれの送信チェーンに対応しており、通信チャネルの単一の部分にも対応する。単に例示として、１６０ＭＨｚの通信チャネルが利用される実施形態において、空間マッピングユニット１２０の各変調データ出力は、１６０ＭＨｚの通信チャネルの８０ＭＨｚの部分に対応する。実施形態において、空間マッピングユニット１２０の各変調データ出力は、通信チャネルの別の部分の変調データを提供すべく、複製される。上の例示に続いて、実施形態において、空間マッピングユニット１２０の各変調データ出力は、１６０ＭＨｚの通信チャネルの他の８０ＭＨｚの部分の変調データを提供すべく、複製される。それにより、変調データの複製後、各送信チェーンの変調データは通信チャネル全体に対応する。上の例示に続いて、変調データの複製後、各送信チェーンの変調データは、実施形態において、１６０ＭＨｚの通信チャネルに対応する。
【００３６】
いくつかの実施形態において、複数の適切な位相シフトはまた複製されたデータに適用される。例えば、実施形態においては以下の通りである。
【数５】
2016527826.tif 000007
γｋ，１６０は、各第ｋ個のサブチャネルで適用される位相シフトであり、ｋはサブチャネルのインデックスである。
【００３７】
変調データの複製後、変調データの各組は、複数のコンステレーションポイントのブロックを時間領域信号に変換する時間の逆離散フーリエ変換（ＩＤＦＴ）計算ユニット１２２（例えば、逆高速フーリエ変換（ＩＦＦＴ）計算ユニット）によって操作される。ＩＤＦＴ計算ユニット１２２によって操作される複数のコンステレーションポイントのブロックは、通信チャネル全体に対応する複数のサブチャネルのすべてに対応する。
【００３８】
複数のＩＤＦＴユニット１２２の複数の出力は、複数のＧＩ挿入及びウィンドウイングユニット１２４に提供される。当該複数のＧＩ挿入及びウィンドウイングユニット１２４は、実施形態においてＯＦＤＭシンボルの円形延長であるガード区間（ＧＩ）部を、複数のＯＦＤＭシンボルにプリペンドして、スペクトル遅延を増加させるように複数のＯＦＤＭシンボルの複数のエッジを平滑化する。複数のＧＩ挿入及びウィンドウイングユニット１２４の複数の出力は、複数のアナログ及び無線周波数（ＲＦ）ユニット１２６に提供され、当該複数のアナログ及び無線周波数（ＲＦ）ユニット１２６は、複数の信号を複数のアナログ信号に変換して、送信のためにその複数の信号を複数のＲＦ周波数にアップコンバートする。複数の信号は送信されて通信チャネル全体にわたる。
【００３９】
４つの送信チェーンが図３に示されているが、ＰＨＹプロセッシングユニット１００は、複数の他の適した数（例えば、１，２，３，５，６，７など）の送信チェーンを含む。また、いくつかのシナリオにおいて、ＰＨＹプロセッシングユニット１００は、すべての送信チェーンを利用しない。単に例示として、ＰＨＹプロセッシングユニット１００が４つの送信チェーンを含む実施形態において、ＰＨＹプロセッシングユニット１００は、例えば、２つのみの空間ストリームが利用されている場合、２つのみの送信チェーンまたは３つのみの送信チェーンを利用し得る。
【００４０】
複数のユーザへの複数の送信を伴う複数の実施形態及び／またはシナリオについて、わずかな差異を除き、実行されるプロセッシングは図３に示されているものと同様である。例えば、複数の異なるＶＨＴ−ＳＩＧＢビットは各ユーザに対して生成され、ブロック１０２，１０４，１０６，１１２，１１４及び１１６によるプロセッシングは、各それぞれのＶＨＴ−ＳＩＧＢに対して別々に実行される。さらに、各ユーザに対して、乗算モジュール１１４は、変調データを、そのユーザに対応するＰＶＨＴＬＴＦの第１列の複数のエレメントのみと乗算する。
【００４１】
ＰＨＹプロセッシングユニット１００において、各送信チェーンは、通信チャネル全体にわたる（例えば、一例示においては１６０ＭＨｚにわたる）送信信号を生成する。しかし、複数の他の実施形態において、ネットワークインターフェースデバイス（例えば、ネットワークインターフェースデバイス１６及び／またはネットワークインターフェースデバイス２７）は、通信チャネルの複数の異なる部分に対応する複数の無線周波数（ＲＦ）部を含む。例えば、単に例示として、ネットワークインターフェースデバイスは、１６０ＭＨｚ幅の通信チャネルの第１の８０ＭＨｚ幅の部分に対応する第１のＲＦ部、及び１６０ＭＨｚ幅の通信チャネルの第２の８０ＭＨｚ幅の部分に対応する第２のＲＦ部を含む。
【００４２】
次に図５を参照すると、ＰＨＹプロセッシングユニット２００は、通信チャネルの第１周波数帯域に対応する第１送信部２０４及び通信チャネルの第２周波数帯域に対応する第２送信部２０８を含む。通信チャネルが１６０ＭＨｚの幅を有するという単に例示的な実施形態として、第１送信部２０４は、第１の８０ＭＨｚ周波数帯域に対応し得、第２送信部２０８は、通信チャネルの第２の８０ＭＨｚ周波数帯域に対応し得る。いくつかの実施形態及び／またはシナリオにおいて、第１周波数帯域は、第２周波数帯域に隣接する。しかし、複数の他の実施形態及び／または複数のシナリオにおいて、第１周波数帯域は、第２周波数帯域に隣接しない。例えば、第１周波数帯域及び第２周波数帯域の間の周波数にギャップがあり得て、通信チャネルは、第１周波数帯域の帯域幅と第２周波数帯域の帯域幅との総和に等しい累積帯域幅を有する。
【００４３】
ＰＨＹプロセッシングユニット２００は、図３のＰＨＹプロセッシングユニット１００の同一のエレメントの多くを有しており、複数の同様の参照符号が付与されたエレメントは、単に簡潔さのために、詳細に説明されない。空間マッピングユニット１２０の複数の出力を参照すると、図３に関して上で説明されたものと同様に、空間マッピングユニット１２０の各変調データ出力は、第１送信部２０４のそれぞれの送信チェーンに対応し、通信チャネルの単一の部分にも対応する。単に例示として、１６０ＭＨｚの通信チャネルが利用される実施形態において、空間マッピングユニット１２０の各変調データ出力は、１６０ＭＨｚの通信チャネルの８０ＭＨｚの部分に対応する。実施形態において、空間マッピングユニット１２０の各変調データ出力は、通信チャネルの別の部分の変調データを提供するように複製される。上の例示に続いて、実施形態において、空間マッピングユニット１２０の各変調データ出力は、１６０ＭＨｚの通信チャネルの他の８０ＭＨｚの部分の変調データを提供するように複製される。
【００４４】
しかし、図３のＰＨＹプロセッシングユニット１００と異なり、空間マッピングユニット１２０の各変調データ出力は、第１送信部２０４のそれぞれの送信チェーンに提供される一方、各複製された変調データは、第２送信部２０８のそれぞれの送信チェーンに提供される。通信チャネルが１６０ＭＨｚの累積帯域幅を有するという実施形態において、空間マッピングユニット１２０の、各々が当該チャネルの第１の８０ＭＨｚの部分に対応するそれぞれの複数の出力は、第１送信部２０４のそれぞれの複数の送信チェーンに提供されて、各々が当該チャネルの第２の８０ＭＨｚの部分に対応するそれぞれの複製された変調データは、第２送信部２０８のそれぞれの複数の送信チェーンに提供される。
【００４５】
各ＩＤＦＴ計算ユニット１２２によって操作される複数のコンステレーションポイントのブロックは、通信チャネルのそれぞれの部分に対応する複数のサブチャネルのすべてに対応する。
【００４６】
各ブロック１２６によって出力される複数の信号は、通信チャネルの各々の帯域幅の部分のみにわたる。
【００４７】
図６は、実施形態に係る、データユニットのＰＨＹヘッダのフィールドを生成する例示的な方法４００のフロー図である。例えば、実施形態において、方法４００は、ＶＨＴ−ＳＩＧＢフィールドを生成する方法である。しかし、複数の他の実施形態において、方法４００は、別の適したＰＨＹヘッダフィールドを生成するために利用され得る。方法４００は、様々な実施形態において、ＰＨＹプロセッシングユニット２０、ＰＨＹプロセッシングユニット２９、ＰＨＹプロセッシングユニット１００、及び／またはＰＨＹプロセッシングユニット２００によって、実施される。単に複数の例示的目的のために、方法４００は、図３及び５を参照して説明される。しかし、複数の他の実施形態において、方法４００は、別の適したＰＨＹプロセッシングユニット及び／または図１、３及び５に示されているものと異なるネットワークインターフェースデバイスによって、実施される。
【００４８】
ブロック４０４では、ＰＨＹヘッダのフィールドに含まれる複数のビットが生成される。ブロック４０４は、実施形態において、ＰＨＹ関連情報に対応する複数の情報ビットを生成する段階を含む。ブロック４０４は、いくつかの実施形態において、複数のテールビットを生成する段階を含む。ブロック４０８では、複数の複製ビットを生成すべく、ブロック４０４で生成された複数のビットが複製／反復される。例えば、実施形態において、図４に示されているような複製／反復技術が利用される。複数の他の実施形態において、別の適した複製／反復技術が利用される。ブロック４０８は、いくつかの実施形態において、１つまたは複数のパディングビットを追加する段階を含んでよい。実施形態において、ビット反復モジュール１０２は、ブロック４０８を実施する。
【００４９】
ブロック４１２では、第１周波数帯域に対応する第１組の直交周波数分割多重（ＯＦＤＭ）サブキャリアに対応する第１変調データは、複数の複製ビットに基づいて生成される。例えば、コンステレーションマッパ１１２は、実施形態において、ビット反復モジュール１０２によって生成された複数の複製ビットに対応して変調データを生成する。ブロック４１２は、いくつかの実施形態において、適した変調技術を適用する段階を含む。例えば、ブロック４１２は、実施形態において、ＢＰＳＫ変調を適用する段階を含む。他の実施形態において、ブロック４１２は、ＰＳＫ、ＱＡＭなどのような別の適した変調技術を適用する段階を含む。複数の実施形態において、第１変調データは、複数の複製ビットに基づいて生成される複数のコンステレーションポイントを含む。
【００５０】
ブロックでは、第２周波数帯域に対応する第２組のＯＦＤＭサブキャリアに対応する第２変調データは、第１変調データを用いて生成される。例えば、図３に関連して上で説明されたように、実施形態において、複数のＩＤＦＴユニット１２２の前に、ＰＨＹプロセッシングユニット１００／２００は、第２周波数帯域に対応する変調データを生成すべく、第１周波数部に対応する第１変調データを複製する。
【００５１】
ブロック４２０では、第１変調データ及び第２変調データに基づいて周波数領域から時間領域への変換を実行する段階を含み、１）第１周波数帯域及び第２周波数帯域にわたっており、かつ２）ＰＨＹヘッダのフィールドに対応する１つまたは複数の信号が生成される。１つまたは複数の信号は、いくつかの実施形態において、複数の異なるアンテナに対応する複数の信号を含んでよい。追加的にまたは代替的に、１つまたは複数の信号は、いくつかの実施形態において、通信チャネル全体にではなく第１周波数帯域にわたる１つまたは複数の第１信号、及び通信チャネル全体にではなく第２周波数帯域にわたる１つまたは複数の第２信号を含んでよい。
【００５２】
いくつかの実施形態において、方法４００は、追加のプロセッシングを含んでよい。例えば、いくつかの実施形態において、ブロック４０８で生成された複数の複製ビットは、例えば、ＢＣＣエンコーダ１０４によって、ＢＣＣ符号化され得る。いくつかの実施形態において、ブロック４０８で生成された複数の複製ビットは、例えば、ＢＣＣインターリーバ１０６によって、インターリーブされ得る。いくつかの実施形態において、複数の位相回転は、上で説明されたように、変調データ（ｍｏｄｕｌａｔｅｄ  ｄａｔａ）に適用され得る。
【００５３】
いくつかの実施形態において、図６の１つまたは複数のブロックは省略される。例えば、いくつかの実施形態において、ビット反復／複製が省略され（すなわち、ブロック４０４が省略され）、残りのプロセッシングは、複数の未複製／未反復ＰＨＹヘッダフィールドビット上で実行される。
【００５４】
図７は、別の実施形態に係わる、１６０ＭＨｚの連続帯域幅を有する通信チャネルに対応する送信モードにおいてＶＨＴ−ＳＩＧＢ６８（図２）を生成する例示的なＰＨＹプロセッシングユニット５００の送信部のブロック図である。しかし、複数の他の実施形態において、複数の同様の技術及び／または複数のＰＨＹプロセッシングユニットは、複数の他の適したＰＨＹヘッダの複数の他の適したフィールドを生成するように、及び／または複数の他の適したチャネル帯域幅に対応する複数の他の適した送信モード用に、利用される。図１を参照すると、一実施形態において、ＡＰ１４のＰＨＹプロセッシングユニット２０及びクライアント局２５―１のＰＨＹプロセッシングユニット２９は各々、ＰＨＹプロセッシングユニット５００のプロセッシングを含む、及び／またはそれを実行する。ＰＨＹプロセッシングユニット５００は、図３のＰＨＹプロセッシングユニット１００の複数の同一のエレメントの多くを有しており、単に簡潔さのために、少なくともいくつかの同様の参照番号が付与されたエレメントは詳細に説明されない。
【００５５】
ＰＨＹプロセッシングユニット５００は、ＶＨＴ−ＳＩＧＢフィールド（例えば、複数のシグナルフィールドビット）に含まれる複数の制御情報ビット（例えば、複数のＰＨＹ関連ビット）を生成する。いくつかの実施形態において、ＰＨＹプロセッシングユニット５００は、複数のシグナルフィールドビットに複数のテールビットを追加する。いくつかの実施形態において、複数の生成されたシグナルフィールドビットは、より狭いチャネル帯域幅を有する通信モードに対応し、当該複数の生成されたシグナルフィールドビットは、より広い帯域幅を有する複数の通信モード用に繰り返されまたは複製される。それにより、いくつかの実施形態において、ＰＨＹプロセッシングユニット５００は、ビット反復またはビット複製モジュール５０４を含む。図８は、実施形態において、ビット反復モジュール５０４によって実施される例示的技術を示す図である。複数の他の実施形態において、複数の他のビット反復／複製技術は利用される。複数の他の実施形態において、反復／複製は実行されず、ビット反復モジュール５０４は省略され得る。
【００５６】
ＰＨＹプロセッシングユニット５００は、実施形態において、シグナルフィールドビット及びテールビットの組１７０を生成する。実施形態において、シグナルフィールドビット及びテールビットの組１７０は、２０ＭＨｚの帯域幅を有するチャネルに対応する。それにより、いくつかの実施形態において、例えば、４０ＭＨｚ，８０ＭＨｚ，１６０ＭＨｚなどの帯域幅を用いる場合、シグナルフィールドビット及びテールビットの組１７０は、繰り返され／複製される。ビット反復モジュール５０４は、組１７０を３回繰り返し／複製して、組５５０を生成する。次に、組１７０の８つの反復を有する複製ビットの組５６０が生成されるように、組５５０が複製されて１つまたは複数のパディングビット５５４（例えば、１つのパディングビットまたは別の適した数のパディングビット）が追加される。  実施形態において、組５６０は、１６０ＭＨｚの帯域幅を有するチャネルに対応する。実施形態において、組１７０は、２３個の情報ビットと６つのテールビットを含み、１つのみのパディングビット５５４が追加される。それにより、実施形態において、組５６０は、２３４個のビットを含む。しかし、複数の他の実施形態において、組１７０は、複数の他の適した数の情報ビット及びテールビットを含み、及び／または異なる数のパディングビット５５４が追加される。
【００５７】
ビット反復モジュール５０４の出力は、複数の複製ビット上でＢＣＣ符号化を実行するＢＣＣエンコーダ１０４に連結される。実施形態において、ＢＣＣエンコーダ１０４は、符号化レート１／２を利用する。例えば、上の例示に続いて、組１８０が２３４個のビットを含み、ＢＣＣエンコーダ１０４がレート１／２を用いる場合には、次にＢＣＣエンコーダ１０４の出力は、４６８個のビットを含む。複数の他の実施形態において、複数の他の適した符号化レートは利用される。
【００５８】
ＢＣＣエンコーダ１０４の出力はセグメントパーサ５０８に連結される。セグメントパーサ５０８は、複数のセグメント内にＢＣＣエンコーダ１０４の出力をパーシングする。実施形態において、セグメントパーサ５０８は、２つのセグメント内にＢＣＣエンコーダ１０４の出力をパーシングする。例示として、セグメントパーサ５０８は、各々が２３４個の符号化されたビットを有する２つのセグメント内にＢＣＣエンコーダ１０４の出力をパーシングする。しかし、複数の他の実施形態において、セグメントパーサ５０８は、異なる適した数のセグメント内にＢＣＣエンコーダ１０４の出力をパーシングする。実施形態において、セグメントパーサ５０８は、ラウンドロビン技術を用いて複数のセグメント内にＢＣＣエンコーダ１０４の出力をパーシングする。複数の他の実施形態において、セグメントパーサ５０８は、別の適した技術を利用する。
【００５９】
各セグメントは、それぞれのセグメントプロセッサによって処理される。例えば、図７に示されている実施形態において、第１セグメントは第１セグメントプロセッサ５１２によって処理され、第２セグメントは第２セグメントプロセッサ５１６によって処理される。各セグメントプロセッサは、各々のＢＣＣインターリーバ１０６及び各々のコンステレーションマッパ１１２を含む。
【００６０】
各ＢＣＣインターリーバ１０６は、上で説明されたように複数のビットをインターリーブし、各ＢＣＣインターリーバ１０６の出力（または、ＢＣＣエンコーダ１０４とＢＣＣインターリーバ１０６が省略された場合には、セグメントパーサ５０８の出力）は、上で説明された態様で操作する各々のコンステレーションマッパ１１２に連結される。例示的な実施形態において、各コンステレーションマッパ１１２は、２３４個のビットのそれぞれの組を、２３４個のＢＰＳＫコンステレーションポイントのそれぞれの組にマッピングする。
【００６１】
複数のコンステレーションマッパ１１２の複数の出力は、複数のコンステレーションマッパ１１２の複数の出力をマージするセグメントデパーサ５２０に提供される。例示的な実施形態において、セグメントデパーサ５２０は、第１セグメントプロセッサ５１２からの１組の２３４個のコンステレーションポイントを、第２セグメントプロセッサ５１６からの１組の２３４個のコンステレーションポイントと共にデパーシングする。
【００６２】
セグメントデパーサ５２０の出力は、乗算モジュール１１４に提供される。実施形態において、シングルユーザ送信用に、乗算モジュール１１４は、上で説明されたように１つまたは複数の空間ストリームを生成すべく、変調データをマッピングマトリックスＰＶＨＴＬＴＦの第１列と乗算する。
【００６３】
いくつかの実施形態において、乗算モジュール１１４とセグメントデパーサ５２０の順番は逆になる。
【００６４】
複数の巡回シフトダイバーシチ（ＣＳＤ）ユニット１１６は、乗算モジュール１１４に連結される。複数のＣＳＤユニット１１６は、意図されないビームフォーミングを防ぐべく、（１つより多くの空間ストリームの場合には）１つを除いてすべての空間ストリーム内に複数の巡回シフトを挿入する。
【００６５】
空間マッピングユニット１２０は、ＮＳＴＳ個の空間ストリームを、上で説明されたようにＮＴＸ個の送信チェーンにマッピングする。空間マッピングユニット１２０の各変調データ出力は、それぞれの送信チェーンに対応し、通信チャネル全体にも対応する。単に例示として、１６０ＭＨｚの通信チャネルが利用される実施形態において、空間マッピングユニット１２０の各変調データ出力は１６０ＭＨｚに対応する。いくつかの実施形態において、複数の適切な位相シフトはまた、空間マッピングユニットの複数の出力に適用される。
【００６６】
各組の変調データは、コンステレーションポイントのブロックを時間領域信号に変換するＩＤＦＴ計算ユニット１２２によって操作される。ＩＤＦＴ計算ユニット１２２上で操作されるコンステレーションポイントのブロックは、通信チャネル全体に対応する複数のサブチャネルのすべてに対応する。複数のＩＤＦＴユニット１２２の複数の出力は、ＧＩ部を複数のＯＦＤＭシンボルにプリペンドする複数のＧＩ挿入及びウィンドウイングユニット１２４に提供される。複数のＧＩ挿入及びウィンドウイングユニット１２４の複数の出力は、複数のＲＦユニット１２６に提供され、当該複数のＲＦユニット１２６は、複数の信号を複数のアナログ信号に変換して送信のためにその複数の信号を複数のＲＦ周波数にアップコンバートする。複数の信号は送信されて通信チャネル全体にわたる。
【００６７】
４つの送信チェーンが図７に示されているが、ＰＨＹプロセッシングユニット５００は、複数の他の適した数（例えば、１，２，３，５，６，７など）の送信チェーンを含む。また、いくつかのシナリオにおいて、ＰＨＹプロセッシングユニット５００は、すべての送信チェーンを利用しない。単に例示として、ＰＨＹプロセッシングユニット５００が４つの送信チェーンを含む実施形態において、ＰＨＹプロセッシングユニット５００は、例えば、２つの空間ストリームのみが利用されている場合には、２つのみの送信チェーンまたは３つのみの送信チェーンを利用し得る。
【００６８】
複数のユーザへの複数の送信を伴う複数の実施形態及び／または複数のシナリオについて、わずかな差異を除き、実行されるプロセッシングは図７に示されているものと同様である。例えば、複数の異なるＶＨＴ−ＳＩＧＢビットは、各ユーザに対して生成され、ブロック５０４，１０４，５０８，１０６，１１２，５２０，１１４及び１１６によるプロセッシングは、各それぞれのＶＨＴ−ＳＩＧＢに対して別々に実行される。さらに、各ユーザに対して、乗算モジュール１１４は、変調データを、そのユーザに対応するＰＶＨＴＬＴＦの第１列の複数のエレメントのみと乗算する。
【００６９】
ＰＨＹプロセッシングユニット１００において、各送信チェーンは、通信チャネル全体にわたる（例えば、一例示において、１６０ＭＨｚにわたる）送信信号を生成する。しかし、複数の他の実施形態において、ネットワークインターフェースデバイス（例えば、ネットワークインターフェースデバイス１６及び／またはネットワークインターフェースデバイス２７）は、通信チャネルの複数の異なる部分に対応する複数の無線周波数（ＲＦ）部を含む。例えば、単に例示として、ネットワークインターフェースデバイスは、１６０ＭＨｚ幅の通信チャネルの第１の８０ＭＨｚ幅の部分に対応する第１のＲＦ部、及び１６０ＭＨｚ幅の通信チャネルの第２の８０ＭＨｚ幅の部分に対応する第２のＲＦ部を含む。
【００７０】
ＰＨＹプロセッシングユニット５００において、各送信チェーンは、通信チャネル全体にわたる（例えば、一例示において、１６０ＭＨｚにわたる）送信信号を生成する。しかし、複数の他の実施形態において、ネットワークインターフェースデバイス（例えば、ネットワークインターフェースデバイス１６及び／またはネットワークインターフェースデバイス２７）は、複数の送信チェーンを含み、当該複数の送信チェーンの各々は、通信チャネルの一部分のみにわたる信号を生成することができるが、通信チャネルに累積的にわたる複数の信号を一緒に生成する。例えば、単に例示として、ネットワークインターフェースデバイスは、複数の送信チェーンを含み、当該複数の送信チェーンの各々は、最大８０ＭＨｚ幅の複数の信号を生成するが、１６０ＭＨｚの累積帯域幅を有する信号を生成することと併せて用いられることができる。
【００７１】
次に図９を参照すると、ＰＨＹプロセッシングユニット６００は、図７のＰＨＹプロセッシングユニット５００の複数の同一のエレメントの多くを含み、単に簡潔さのために、少なくともいくつかの同様の参照符号が付与されたエレメントは詳細に説明されない。ＰＨＹプロセッシングユニット６００は、通信チャネルの第１周波数帯域に対応する第１送信部６０４及び通信チャネルの第２周波数帯域に対応する第２送信部６０８を含む。さらに、ＰＨＹプロセッシングユニット６００は、セグメントデパーサを利用しない。
【００７２】
通信チャネルが１６０ＭＨｚの幅を有するという単に例示的な実施形態として、第１送信部６０４は、第１の８０ＭＨｚ周波数帯域に対応し得、第２送信部６０８は、通信チャネルの第２の８０ＭＨｚ周波数帯域に対応し得る。いくつかの実施形態及び／またはシナリオにおいて、第１周波数帯域は、第２周波数帯域に隣接する。しかし、複数の他の実施形態及び／またはシナリオにおいて、第１周波数帯域は、第２周波数帯域に隣接しない。例えば、第１周波数帯域及び第２周波数帯域の間の周波数にギャップがあり得、通信チャネルは、第１周波数帯域の帯域幅と第２周波数帯域の帯域幅の総和に等しい累積帯域幅を有する。
【００７３】
第１送信部６０４は、各々のＢＣＣインターリーバ１０６、各々のコンステレーションマッパ１１２、各々の乗算モジュール１１４、各々のＣＳＤユニット１１６、及び各々の空間マッピングユニット１２０を含む。空間マッピングユニット１２０の複数の出力を参照すると、第１送信部６０４の空間マッピングユニット１２０の各変調データ出力は、それぞれの送信チェーンに対応しており、通信チャネルの単一の部分にも対応する。単に例示として、１６０ＭＨｚの通信チャネルが利用される実施形態において、第１送信部６０４の各変調データ出力は、１６０ＭＨｚの通信チャネルの第１の８０ＭＨｚの部分に対応する。上の例示に続いて、実施形態において、第２送信部６０８の各変調データ出力は、１６０ＭＨｚの通信チャネルの第２の８０ＭＨｚの部分に対応する。それにより、第１送信部６０４及び第２送信部６０８の各変調データ出力は、それぞれの送信チェーンに提供される。
【００７４】
各ＩＤＦＴ計算ユニット１２２によって操作される複数のコンステレーションポイントのブロックは、通信チャネルのそれぞれの部分に対応する複数のサブチャネルのすべてに対応する。
【００７５】
各ブロック１２６によって出力される複数の信号は、通信チャネルの各々の帯域幅の部分にのみわたる。
【００７６】
図１０は、実施形態に係るデータユニットのＰＨＹヘッダのフィールドを生成する例示的な方法７００のフロー図である。例えば、実施形態において、方法７００は、ＶＨＴ−ＳＩＧＢフィールドを生成する方法である。しかし、複数の他の実施形態において、方法７００は、別の適したＰＨＹヘッダフィールドを生成するために利用され得る。方法７００は、様々な実施形態における、ＰＨＹプロセッシングユニット２０、ＰＨＹプロセッシングユニット２９、ＰＨＹプロセッシングユニット５００、及び／またはＰＨＹプロセッシングユニット６００によって、実施される。単に例示のために、方法７００は、図７及び９を参照して説明される。しかし、複数の他の実施形態において、方法７００、別の適したＰＨＹプロセッシングユニット及び／または図１、７及び９に示されているものと異なるネットワークインターフェースデバイスによって実施される。
【００７７】
ブロック７０４では、ＰＨＹヘッダのフィールドに含まれる複数のビットが生成される。ブロック７０４は、実施形態において、ＰＨＹ関連情報に対応する複数の情報ビットを生成する段階を含む。ブロック７０４は、いくつかの実施形態において、複数のテールビットを生成する段階を含む。ブロック７０８では、複数の複製ビットを生成すべく、ブロック７０４で生成された複数のビットが複製／反復される。例えば、実施形態において、図８に示されているような複製／反復技術が利用される。複数の他の実施形態において、別の適した複製／反復技術が利用される。ブロック７０８は、いくつかの実施形態において、１つまたは複数のパディングビットを追加する段階を含み得る。実施形態において、ビット反復モジュール５０４は、ブロック７０８を実施する。
【００７８】
ブロック７１２では、複数の複製ビットは複数のセグメント内にパーシングされる。実施形態において、セグメントパーサ５０８は、ブロック７１２を実施する。ブロック７１６では、各セグメントについて、複数の他のセグメントからの複数の複製ビットをインターリーブせずに、そのセグメント内に複数の複製ビットがインターリーブされる。実施形態において、複数の異なるセグメントに対応する複数のＢＣＣインターリーバ１０６は、ブロック７１６を実施する。
【００７９】
ブロック７２０では、複数の複製ビットに基づいた変調データが生成され、当該変調データは複数の直交周波数分割多重（ＯＦＤＭ）サブキャリアに対応する。実施形態において、複数の異なるセグメントに対応する複数のコンステレーションマッパ１１２は、ブロック７２０を実施する。
【００８０】
ブロック７２４では、変調データに基づいて周波数領域から時間領域への変換を実行する段階を含み、ＰＨＹヘッダのフィールドに対応する１つまたは複数の信号が生成される。実施形態において、複数のＩＤＦＴ計算ユニット１２２は、ユニット１２４及び１２６も同じく、ブロック７２４を実施する。１つまたは複数の信号は、いくつかの実施形態において、複数の異なるアンテナに対応する複数の信号を含み得る。追加的にまたは代替的に、１つまたは複数の信号は、いくつかの実施形態において、通信チャネル全体にではなく第１周波数帯域にわたる１つまたは複数の第１信号、及び通信チャネル全体にではなく第２周波数帯域にわたる１つまたは複数の第２信号を含み得る。
【００８１】
いくつかの実施形態において、方法７００は、追加のプロセッシングを含んでよい。例えば、いくつかの実施形態において、ブロック７０８で生成された複数の複製ビットは、例えば、ＢＣＣエンコーダ１０４によって、ＢＣＣ符号化され得る。いくつかの実施形態において、ブロック７２０で生成された変調データはデパーシングされ、デパーシング後にブロック７２４が実行される。いくつかの実施形態において、上で説明されたように、複数の位相回転は、変調データに適用され得る。
【００８２】
いくつかの実施形態において、図１０の１つまたは複数のブロックは省略される。例えば、いくつかの実施形態において、ビット反復／複製が省略され（すなわち、ブロック７０８が省略され）、残りのプロセッシングは、複数の未複製／未反復ＰＨＹヘッダフィールドビット上で実行される。いくつかの実施形態において、ブロック７１６は省略される。
【００８３】
さらに、本願発明の複数のさらなる態様は、以下の複数の項目のうち１つまたは複数に関連する。
【００８４】
実施形態において、データユニットの物理層（ＰＨＹ）ヘッダのフィールドを生成する方法は、フィールドに含まれる複数のビットを生成する段階、及び複数の複製ビットを生成すべく、複数のビットを複製する段階を含む。方法はまた、複数の複製ビットに基づいて、第１周波数帯域に対応する第１組の直交周波数分割多重（ＯＦＤＭ）サブキャリアに対応する第１変調データを生成する段階、及び第１変調データを用いて、第２周波数帯域に対応する第２組のＯＦＤＭサブキャリアに対応する第２変調データを生成する段階を含む。方法はさらに１）第１周波数帯域及び第２周波数帯域にわたっており、かつ２）ＰＨＹヘッダのフィールドに対応する１つまたは複数の信号を生成する段階を含み、当該１つまたは複数の信号を生成する段階は、第１変調データ及び第２変調データに基づいて周波数領域から時間領域への変換を実行する段階を含む。
【００８５】
複数の他の実施形態において、方法は、以下の複数の特徴のうち１つまたは複数の任意の適した組み合わせを含む。
【００８６】
第１周波数帯域及び第２周波数帯域は隣接する。
【００８７】
１つまたは複数の信号を生成する段階は、第１周波数帯域及び第２周波数帯域にわたるシングル信号を生成する段階を含む。
【００８８】
１つまたは複数の信号を生成する段階は、当該シングル信号を含む複数の信号を生成する段階を含む。
【００８９】
複数の信号の各信号は、１）第１周波数帯域及び第２周波数帯域にわたりっており、かつ２）それぞれの送信アンテナに対応する。
【００９０】
１つまたは複数の信号を生成する段階は、第１周波数帯域にわたる第１信号を生成する段階、及び第２周波数帯域にわたる第２信号を生成する段階を含む。
【００９１】
１つまたは複数の信号を生成する段階は、第１信号を含む第１の複数の信号を生成する段階、及び第２信号を含む第２の複数の信号を生成する段階を含み、当該第１の複数の信号の各信号は、第１周波数帯域にわたっておりそれぞれの送信アンテナに対応し、当該第２の複数の信号の各信号は、第２周波数帯域にわたっておりそれぞれの送信アンテナに対応する。
【００９２】
別の実施形態において、装置は、ＰＨＹヘッダのフィールドに含まれる複数のビットを生成して複数の複製ビットを生成すべく、当該複数のビットを複製する物理層（ＰＨＹ）プロセッシングユニットを有するネットワークインタフェースを備える。ＰＨＹプロセッシングユニットはさらに、複数の複製ビットに基づいて、第１周波数帯域に対応する第１組の直交周波数分割多重（ＯＦＤＭ）サブキャリアに対応する第１変調データを生成し、当該第１変調データを用いて、第２周波数帯域に対応する第２組のＯＦＤＭサブキャリアに対応する第２変調データを生成する。ネットワークインタフェースは、第１変調データ及び第２変調データに基づいて周波数領域から時間領域への変換を実行することを含み、１）第１周波数帯域及び第２周波数帯域にわたっており、かつ２）ＰＨＹヘッダのフィールドに対応する１つまたは複数の信号を生成する。
【００９３】
複数の他の実施形態において、装置は、以下の複数の特徴のうち１つまたは複数の任意の適した組み合わせを含む。
【００９４】
第１周波数帯域及び第２周波数帯域は隣接する。
【００９５】
ネットワークインタフェースは、少なくとも、第１周波数帯域及び第２周波数帯域にわたるシングル信号を生成することによって、１つまたは複数の信号を生成する。
【００９６】
ネットワークインタフェースは、少なくとも、当該シングル信号を含む複数の信号を生成することによって、１つまたは複数の信号を生成する。
【００９７】
複数の信号の各信号は、１）第１周波数帯域及び第２周波数帯域にわたっており、かつ２）それぞれの送信アンテナに対応する。
【００９８】
ネットワークインタフェースは、少なくとも、第１周波数帯域にわたる第１信号を生成すること、及び第２周波数帯域にわたる第２信号を生成することによって、１つまたは複数の信号を生成する。
【００９９】
ネットワークインタフェースは、少なくとも、第１信号を含む第１の複数の信号を生成すること、及び第２信号を含む第２の複数の信号を生成することによって、１つまたは複数の信号を生成し、当該第１の複数の信号の各信号は第１周波数帯域にわたっておりそれぞれの送信アンテナに対応し、当該第２の複数の信号の各信号は第２周波数帯域にわたっておりそれぞれの送信アンテナに対応する。
【０１００】
また別の実施形態において、データユニットの物理層（ＰＨＹ）ヘッダのフィールドを生成する方法は、フィールドに含まれる複数のビットを生成する段階と、複数の複製ビットを生成すべく、複数のビットを複製する段階と、複数のセグメント内に複数の複製ビットをパーシングする段階とを備える。方法はまた、各セグメントについて、複数の他のセグメントから複数の複製ビットをインターリーブせずに、そのセグメント内に複数の複製ビットをインターリーブする段階を備える。方法はさらに、複数の複製ビットをインターリーブした後、複数の複製ビットに基づいて、複数の直交周波数分割多重（ＯＦＤＭ）サブキャリアに対応する変調データを生成する段階、及び、変調データに基づいて周波数領域から時間領域への変換を実行する段階を含む、ＰＨＹヘッダのフィールドに対応する１つまたは複数の信号を生成する段階を備える。
【０１０１】
複数の他の実施形態において、方法は、以下の複数の特徴のうち１つまたは複数の任意の適した組み合わせを含む。
【０１０２】
方法はさらに、複数の複製ビットをインターリーブした後、複数のセグメントから複数の複製ビットをデパーシングする段階を備える。
【０１０３】
１つまたは複数の信号を生成する段階は、複数の信号を生成する段階を含む。
【０１０４】
複数の信号の各信号は、それぞれの送信アンテナに対応する。
【０１０５】
複数のセグメントの第１セグメントは、第１周波数帯域に対応する。
【０１０６】
複数のセグメントの第２セグメントは、第２周波数帯域に対応する。
【０１０７】
１つまたは複数の信号を生成する段階は、第１周波数帯域にわたる第１信号を生成する段階、及び第２周波数帯域にわたる第２信号を生成する段階を含む。
【０１０８】
１つまたは複数の信号を生成する段階は、第１信号を含む第１の複数の信号を生成する段階、及び第２信号を含む第２の複数の信号を生成する段階を含み、当該第１の複数の信号の各信号は第１周波数帯域にわたっておりそれぞれの送信アンテナに対応し、当該第２の複数の信号の各信号は第２周波数帯域にわたっておりそれぞれの送信アンテナに対応する。
【０１０９】
また別の実施形態において、装置は、物理層（ＰＨＹ）プロセッシングユニットを有するネットワークインタフェースを備え、当該ＰＨＹプロセッシングユニットは、ＰＨＹヘッダのフィールドに含まれる複数のビットを生成し、複数の複製ビットを生成すべく、複数のビットを複製し、複数のセグメント内に複数の複製ビットをパーシングする。ＰＨＹプロセッシングユニットはさらに、各セグメントについて、複数の他のセグメントから複数の複製ビットをインターリーブせずに、そのセグメント内に複数の複製ビットをインターリーブする。ＰＨＹプロセッシングユニットはまたさらに、複数の複製ビットをインターリーブした後、当該複数の複製ビットに基づいて、複数の直交周波数分割多重（ＯＦＤＭ）サブキャリアに対応する変調データを生成する。ネットワークインタフェースは、ＰＨＹヘッダのフィールドに対応する１つまたは複数の信号を生成し、当該１つまたは複数の信号を生成することは、変調データに基づいて周波数領域から時間領域への変換を実行することを含む。
【０１１０】
複数の他の実施形態において、装置は、以下の複数の特徴のうち１つまたは複数の任意の適した組み合わせを含む。
【０１１１】
ＰＨＹプロセッシングユニットは、複数の複製ビットをインターリーブした後、複数のセグメントから複数の複製ビットをデパーシングする。
【０１１２】
ネットワークインタフェースは、少なくとも、複数の信号を生成することによって、１つまたは複数の信号を生成する。
【０１１３】
複数の信号の各信号は、それぞれの送信アンテナに対応する。
【０１１４】
複数のセグメントの第１セグメントは、第１周波数帯域に対応する。
【０１１５】
複数のセグメントの第２セグメントは、第２周波数帯域に対応する。
【０１１６】
ネットワークインタフェースは、少なくとも、第１周波数帯域にわたる第１信号を生成すること、及び第２周波数帯域にわたる第２信号を生成することによって、１つまたは複数の信号を生成する。
【０１１７】
ネットワークインタフェースは、少なくとも、第１信号を含む第１の複数の信号を生成すること、及び第２信号を含む第２の複数の信号を生成することによって、１つまたは複数の信号を生成し、当該第１の複数の信号の各信号は第１周波数帯域にわたっておりそれぞれの送信アンテナに対応し、当該第２の複数の信号の各信号は第２周波数帯域にわたっておりそれぞれの送信アンテナに対応する。
【０１１８】
上で説明された様々なブロック、操作、及び技術のうち少なくともいくつかは、ハードウェア、複数のファームウェア命令を実行するプロセッサ、複数のソフトウェア命令を実行するプロセッサ、またはそれらの任意の組み合わせを利用して実施され得る。複数のソフトウェアまたはファームウェア命令を実行するプロセッサを利用して実施される場合、当該複数のソフトウェアまたはファームウェア命令は、磁気ディスク、光学式ディスク、または他のストレージ媒体、ＲＡＭまたはＲＯＭもしくはフラッシュメモリ、プロセッサ、ハードディスクドライブ、光学式ディスクドライブ、テープドライブなどのような、任意のコンピュータ可読メモリに格納され得る。同様に、複数のソフトウェアまたはファームウェア命令は、例えば、コンピュータ可読ディスクまたは他の可搬式コンピュータストレージ機構上を含む任意の既知または所望の送出方法を介して、または、通信媒体を介して、ユーザまたはシステムに送出され得る。通信媒体は典型的には、複数のコンピュータ可読命令、複数のデータ構造、複数のプログラムモジュール、または、搬送波や他の搬送機構のような変調されたデータ信号における他のデータを具体化する。「変調されたデータ信号」という用語は、信号に情報を符号化するような態様による設定または変更された自身の複数の特性のうち１つまたは複数を有する信号を意味する。例として、そして限定ではなく、通信媒体は、有線ネットワークまたは直接的有線接続のような有線媒体と、音響、無線周波数、赤外線及び他の無線媒体のような無線媒体とを含む。それにより、複数のソフトウェアまたはファームウェア命令は、電話回線、ＤＳＬ回線、ケーブルテレビ回線、光ファイバ回線、無線通信チャネル、インターネットなどのような通信チャネルを介して、ユーザまたはシステムに送出され得る（可搬式ストレージ媒体を介してこのようなソフトウェアを提供することと同一または互換可能なものとして見られる）。複数のソフトウェアまたはファームウェア命令は、プロセッサによって実行される場合、プロセッサに様々な動作を実行させる複数の機械可読命令を含み得る。
【０１１９】
ハードウェアに実装されている場合、ハードウェアは、１つまたは複数の別個のコンポーネント、集積回路、特定用途向け集積回路（ＡＳＩＣ）などを備え得る。
【０１２０】
本願発明を限定するのではなく例示することのみを意図される複数の具体的な例を参照して本願発明が説明された一方、複数の変更、複数の追加及び／または複数の削除は、複数の請求項の範囲から逸脱せずに、開示されている複数の実施形態に対してなされてよい。
【図１】
2016527826.tif 000008
【図２】
2016527826.tif 000009
【図３】
2016527826.tif 000010
【図４】
2016527826.tif 000011
【図５】
2016527826.tif 000012
【図６】
2016527826.tif 000013
【図７】
2016527826.tif 000014
【図８】
2016527826.tif 000015
【図９】
2016527826.tif 000016
【図１０】
2016527826.tif 000017
【国際調査報告】
2016527826.tif 000018
2016527826.tif 000019
2016527826.tif 000020